(57)【特許請求の範囲】
【請求項１】
商標その他の文字を含み機器外面に臨むロゴ表示部と、受光装置とを有する光学機器の光線窓において、
上記ロゴ表示部は、
上記ロゴ表示に対応する凸部を有する透光性部材または非透光性部材と、上記ロゴ表示凸部が嵌まる穴部を有する非透光性部材または透光性部材との表示結合体；及び
上記表示結合体を嵌合させる開口部と、嵌合された該表示結合体の背面に位置する受光窓が形成されたフレーム；を有し、
上記受光装置は、
上記フレームの受光窓に臨む背面に配置された、上記透光性部材を通った光を受光する上記受光装置の受光素子を有する、
ことを特徴とする光学機器の光線窓。
【請求項２】
請求項１記載の光学機器の光線窓において、
上記受光素子は、ホワイトバランス検知用受光素子であり、透光性部材は、乳白色の透過拡散板である光学機器の光線窓。
【請求項３】
商標その他の文字を含み機器外面に臨むロゴ表示部と、発光装置とを有する光学機器の光線窓において、
上記ロゴ表示部は、
上記ロゴ表示に対応する凸部を有する透光性部材または非透光性部材と、上記ロゴ表示凸部が嵌まる穴部を有する非透光性部材または透光性部材との表示結合体；及び
上記表示結合体を嵌合させる開口部と、嵌合された該表示結合体の背面に位置する発光窓が形成されたフレーム；を有し、
上記発光装置は、
上記フレームの発光窓に臨む背面に配置された、上記透光性部材を通して発光する上記発光装置の発光素子を有する、
ことを特徴とする光学機器の光線窓。
【発明の詳細な説明】
【０００１】
【技術分野】
本発明は、カメラ等の光学機器に関し、特に商標等の文字を含み機器外面に臨むロゴ表示部と、受光装置と発光装置の少なくとも一方とを有する光学機器に関する。
【０００２】
【従来技術およびその問題点】
光学機器では、受光装置や発光装置を備えることが多い。例えば、ビデオカメラや、デジタルカメラでは、ホワイトバランス検知用測光装置が備えられており、その受光部（光線窓）は、各光学機器の前面に備えられている。この受光部には通常、光源色を判断するために乳白色の透過拡散板が用いられ、一般的に円形をした受光窓に受光素子の前に位置させてこの拡散板が嵌められている。
【０００３】
このような受光装置の受光窓は、必然的に、操作者が通常の態様で光学機器を手にしたとき塞がれることのない光学機器の前面に設置する必要がある。しかし、受光窓は、光学機器のデザインの上で種々の制約を与える原因となっている。ホワイトバランス検知用測光装置の受光部だけでなく、被写体からの反射光を受光して輝度を測定する測光装置、アクティブ式ＡＦ（オートフォーカス）装置に必要な赤外光など撮影補助光の発光部、リモコンの受光部などの光線窓にも同じ問題がある。
【０００４】
【発明の目的】
本発明は、上記の問題点を解決し、スペースやデザインの妨げとならない光学機器の光線窓を提供することを目的とする。
【０００５】
【発明の概要】
本発明は、光学機器においてその前面に必ず設置されるロゴ表示部を利用して光線窓を構成すれば、光線窓を専用に設ける必要がなく、デザインやスペースの自由度が増すという着眼に基づいてなされたものである。
【０００６】
すなわち本発明は、受光装置に用いる態様では、商標その他の文字を含み機器外面に臨むロゴ表示部と、受光装置とを有する光学機器の光線窓において、上記ロゴ表示部は、上記ロゴ表示に対応する凸部を有する透光性部材または非透光性部材と、上記ロゴ表示凸部が嵌まる穴部を有する非透光性部材または透光性部材との表示結合体；及び上記表示結合体を嵌合させる開口部と、嵌合された該表示結合体の背面に位置する受光窓が形成されたフレーム；を有し、上記受光装置は、上記フレームの受光窓に臨む背面に配置された、上記透光性部材を通った光を受光する上記受光装置の受光素子を有することを特徴としている。
【０００７】
受光素子が、ホワイトバランス検知用受光素子であるときには、透光性部材は、乳白色の透過拡散板から構成するのがよい。勿論、受光素子の性質に応じて、透光性部材は材質や透明度を変えることができる。
【０００８】
本発明は、発光装置に用いる態様では、商標その他の文字を含み機器外面に臨むロゴ表示部と、発光装置とを有する光学機器の光線窓において、上記ロゴ表示部は、上記ロゴ表示に対応する凸部を有する透光性部材または非透光性部材と、上記ロゴ表示凸部が嵌まる穴部を有する非透光性部材または透光性部材との表示結合体；及び上記表示結合体を嵌合させる開口部と、嵌合された該表示結合体の背面に位置する発光窓が形成されたフレーム；を有し、上記発光装置は、上記フレームの発光窓に臨む背面に配置された、上記透光性部材を通して発光する上記発光装置の発光素子を有することを特徴としている。
【０００９】
【発明の実施の形態】
図７は前面に、出願人会社の登録商標からなるロゴ表示１３を有する一眼レフカメラ１０の正面図である。このように、カメラ前面には目立つようにロゴ表示１３が付されるのが通常である。本実施形態はこのロゴ表示１３を、測光装置の受光窓や撮影補助光の発光窓に利用することによってデザイン上およびスペース上の不都合を軽減しようとするものである。
【００１０】
図１ないし図３は、本発明の第１の実施形態による、測光装置の受光部である光線窓１２（ロゴ表示１３）を示している。この光線窓１２はカメラボディ１１前面に固定されるフレーム４０を有している。このフレーム４０は、光を透過しない素材からなっていて、前面の開放された箱形開口部４１を有し、この箱形開口部４１の略中心部に受光窓４２が形成されている。箱形開口部４１には、乳白色の板状素材からなる透過拡散板２０とマスク３０との結合体が嵌合固定されており、透過拡散板２０は、その表面にロゴの文字形状の凸部２１を有し、光を透過しない素材からなるマスク３０には、この凸部２１が嵌るように穴部３１が形成されていて、この穴部３１と凸部２１を嵌め合わせると透過拡散板２０とマスク３０の表面は平面になる。
【００１１】
フレーム４０の背面には、受光窓４２に臨ませて、受光素子保持板５１に固定されたホワイトバランス検出用受光素子５０が位置している。マスク３０と透過拡散板２０との結合体は、フレーム４０の前端部に固定されていて、拡散板２０と受光素子５０との間には、スペース４４が形成されている。
【００１２】
上記構成の本装置は、透過拡散板２０の凸部２１（ロゴ表示１３）から入射した光線が、受光素子５０に入射する。すなわち、透過拡散板２０の凸部２１から入射した光線は、該透過拡散板２０内を通過し、さらに該拡散板２０と受光素子５０の間のスペース４４を介して、受光素子５０に到達する。受光素子５０は、光源色の測定に適した、透過拡散板２０を透過した拡散光を受けて電気信号に変換する。電気信号に変換後の具体的なホワイトバランスの測定については本実施形態の要旨と関係がないので、ここでは説明を省略する。
【００１３】
図４及び図５は、本発明による別の実施形態であり、正面図は図１と同様に表れる。第１の実施形態における透過拡散板２０は、拡散板の表面に文字形状の凸部２１を形成したものであるが、本実施形態における透過拡散板２０は、図５に示すように凸文字形状２１のみを接続片２２で連ねて形成されている。マスク３０は第１の実施形態同様、凸文字形状２１に対応させて穴部３１を形成してあるので、この穴部３１に透過拡散板２０を嵌めこんで保持することにより表面が平面となる。フレーム４０も第１の実施形態と同様の形状であり、受光素子５０は受光素子保持板５１に固定されている。
【００１４】
これらの各構成部品を図４のように固定すると、拡散板２０と受光素子５０との間に、スペース４４が形成される。従って、拡散板２０の凸文字部分２１及びスペース４４を介して受光素子５０へ光が到達する。
【００１５】
上記２つの実施形態は文字部分を透過拡散板２０で形成したが、図６に示すように、文字部分を不透明のマスク３０として、文字部分の周囲を乳白色の透過拡散板２０で形成しても、光線窓１２としての機能を有するロゴ表示１３が実現可能である。例えば、第２実施形態の場合、図５にて説明される透過拡散板２０を不透明材料で、マスク３０を透過拡散板にてそれぞれ作成しても実現可能である。要は、ロゴ表示部の少なくとも一部を透光性材料で構成し、その背面に該透光性材料を透過した光を受ける受光素子を配置すればよい。さらに、上記の例はいずれも透過拡散板（透光性材料）を透過させた光線を入射させる窓であるが、リモコン操作用の赤外光を受光するための窓や、カメラ内部から外部へ向けて投光するための光線窓、例えば撮影補助光の投光窓にも、本発明を適用できる。この場合には、受光素子５０を発光素子に代える。
【００１６】
【発明の効果】
本発明は、光学機器の前面に備えられるロゴ表示部を利用して、受光装置の受光窓あるいは発光装置の発光窓を構成したので、光学機器のデザインの自由度を高め、スペース効率を向上することができる。
【図面の簡単な説明】
【図１】本発明の一実施形態を示す光学機器の光線窓（ロゴ表示）の正面図である。
【図２】図１のIIーII線に沿う断面図である。
【図３】図１における光線窓の分解斜視図である。
【図４】本発明の別の実施形態を示す図２に対応する断面図である。
【図５】同図３に対応する分解斜視図である。
【図６】本発明のさらに別の実施形態を示す図１に対応する正面図である。
【図７】前面にロゴ表示を有する一眼レフカメラを示す正面図である。
【符号の説明】
１０    一眼レフカメラ（光学機器）
１１    カメラボディ
１２    光線窓
１３    ロゴ表示
２０    透過拡散板
２１    凸部（文字表示）
３０    マスク
３１    穴部
４０    フレーム
４１    開口部
４２    受光窓
４４    スペース
５０    受光素子
５１    受光素子保持板
【図１】
0004312895.tif 000002
【図２】
0004312895.tif 000003
【図３】
0004312895.tif 000004
【図４】
0004312895.tif 000005
【図５】
0004312895.tif 000006
【図６】
0004312895.tif 000007
【図７】
0004312895.tif 000008